(57)【要約】【課題】  従来のカーテン係止方法によらない新たな発想によるカーテン係止具に改良する。【解決手段】  カーテン係止用ひもの両端に各同型のカーテン係止具ケースを固定しかつ該カーテン係止具ケースに磁石を内設してなるカーテン係止具本体を設け該カーテン係止具本体を介してカーテンを上下又は左右に開閉自在かつ係止自在に構成し、かつ前記カーテン係止具ケースの外側片面に着脱する装飾用リボンがばら・ひまわり・すずらん・チューリップ等の造花からなり、更に必要に応じて造花に香料を内設してなるカーテン係止用具の提供。【選択図】  図１
2006141423.tif 000002
【特許請求の範囲】
【請求項１】
カーテン係止用ひもの両端に各同型のカーテン係止具ケースを固定しかつ該カーテン係止具ケースに磁石を内設してなるカーテン係止具本体を設け、該カーテン係止具本体を介してカーテンを上下又は左右に開閉自在かつ係止自在に構成してなることを特徴とするカーテン係止用具。
【請求項２】
前項のカーテン係止用具の片面にのこぎり歯状の切込部を設けかつひも固定ピンを内設し、前記凹凸部を介してカーテンを締着しかつ前記ひも固定ピンを介してカーテン係止用ひもをカーテン係止具ケース内に固定する請求項１記載のカーテン係止用具。
【請求項３】
請求項１記載のカーテン係止具ケースの外側片面に両面テープ付の装飾用リボンを着脱自在に装着する請求項１記載のカーテン係止用具。
【請求項４】
請求項１記載のカーテン係止具ケースの磁石内設部分とひも内設部分とが一体に構成されかつ該部分が開閉自在に構成される請求項１記載のカーテン係止用具。
【請求項５】
請求項１記載のカーテン係止具ケースの外側片面に着脱する装飾用リボンがばら・ひまわり・すずらん・チューリップ等の造花からなり、更に必要に応じて造花に香料を内設してなる請求項１記載のカーテン係止用具。
【請求項６】
マグネット式の磁石板を内設した樹脂カーテンと、該樹脂カーテンを吊り上げる磁石付の造花となることを特徴とするカーテン係止用具。
【請求項７】
請求項６記載の造花の先端にカーテン吊上用フックを取付けてなる請求項６記載のカーテン係止用具。
【発明の詳細な説明】
【技術分野】
【０００１】
本発明はカーテン係止具に関するが、詳しくはカーテンの所望個所に自由自在に着脱可能にしてなるカーテン係止用具に関するものである。
【背景技術】
【０００２】
従来のカーテン係止用具としては、例えば実用新案登録第３０３２７６１号のカーテン用スプリング・クリップなどが開示されている。この従来方式は、左右１対のカーテンを引分け状態に保持した場合の室内装飾性及びパイプ状のカーテンレールに取付て滑動される場合の室内装飾性をそれぞれ向上させ、かつ引き分け状態保持機能とランナー機能を併有させ互換性を保有させることで使用領域を拡大するものであり、その解決手段は１対のカーテンにおける自由端部の高さ方向の適所を１対の作動部間に差し込み手指にて作動部間への差し込み、手指にて作動部間への差し込み量を増加させながら１対のカーテンを作動部間に局部的に絞り込み作動部、先端部で基端部を挟着して、１対のカーテンを引き分け状態に保持し作動部の外面に装飾体を着脱可能に取付けて室内装飾性を向上されるところにある。すなわち、従来考案の主要な構成は互いに対抗する１対のクリップ片それぞれの基部が支点ピンに軸まわりの回動を可能に取付けられ、前記基部の一方側にのびる操作部の拡縮に同期して基部の他方側にのびる作動部が反対に拡縮され、該作動部の先端部を当接させるように付勢する弾性部材を備え、前記作動部の中間部分及びその付近が互いに離れる方向に膨出しているとともに、少なくとも一方のクリップ片の前記中間部分の外面に第１止め部材が取付けられ、この第１止め部材の表面に設けた係着部に対応して係脱可能に係着される係着部を設けた第２止め部材が裏面に取付けられている装飾体を具備していることを特徴とするカーテン用スプリングクリップにある。
【特許文献１】実用新案登録第３０３２７６１号公報  更に、従来の一般的なカーテン係止具としては図１０と図１１に示すようなものがある。この一般的な従来方式のカーテン係止具は、窓Ｂの内側上方部にカーテン吊下用ワッカ１６付のカーテン吊下棒１４をカーテン吊下棒係止具１５を介して取付け、このカーテン吊下棒１４のカーテン吊下用ワッカ１６にカーテンＡの上縁部を吊り下げられている。カーテンＡは中央から左右２枚に開閉自在に構成されており、左右の窓側に取付けられているカーテン係止具１２、１２にカーテン係止用ワッカ１３、１３付のカーテン係止帯１１、１１を介して締着されている。すなわち、この従来の一般的なカーテン係止方法は、カーテンを左右に開閉自在になるようにして窓の両側に別体のカーテン係止帯（通常は布製の細長帯）で止められるように構成されているものである。
【発明の開示】
【発明が解決しようとする課題】
【０００３】
このような従来式のカーテン係止用具は、いずれも両側の窓に備えつけられている止め金に別体の帯状の係止帯で締着するものである。この従来方式の発想を根本的に改め、カーテンを直接窓際の止め金具に止めるのでなく、カーテンに直接止められることのできる係止具にするところに、本発明が解決しようとする課題を有している。
【課題を解決するための手段】
【０００４】
本発明は上記の如き課題を解決するために開発したものであって、カーテン係止用ひもの両端に各同型のカーテン係止具ケースを固定しかつ該カーテン係止具ケースに磁石を内設してなるカーテン係止具本体を設け該カーテン係止具本体を介してカーテンを上下又は左右に開閉自在かつ係止自在に構成してなることを特徴とするカーテン係止用具の提供にあり、また前記のカーテン係止用具の片面にのこぎり歯状の切込部を設けかつひも固定ピンを内設し前記凹凸部を介してカーテンを締着しかつ前記ひも固定ピンを介してカーテン係止用ひもをカーテン係止具ケース内に固定するカーテン係止用具であり、また前記のカーテン係止具ケースの外側片面に両面テープ付の装飾用リボンを着脱自在に装着するカーテン係止用具であり、また前記のカーテン係止具ケースの磁石内設部分とひも内設部分とが一体に構成されかつ該部分が開閉自在に構成されるカーテン係止用具であり、また前記のカーテン係止具ケースの外側片面に着脱する装飾用リボンがばら・ひまわり・すずらん・チューリップ等の造花からなり更に必要に応じて造花に香料を内設してなるカーテン係止用具である。
【０００５】
更に本発明は、マグネット式の磁石板を内設した樹脂カーテンと該樹脂カーテンを吊り上げる磁石付の造花となることを特徴とするカーテン係止用具の提供にあり、また前記の造花の先端にカーテン吊上用フックを取付けてなるカーテン係止用具の提供にある。
【発明の効果】
【０００６】
本発明は、カーテン係止用ひもの両端に各同型のカーテン係止具ケースを固定しかつ該カーテン係止具ケースに磁石を内設してなるカーテン係止具本体を設け該カーテン係止具本体を介してカーテンを上下又は左右に開閉自在かつ係止自在に構成してなることを特徴とするカーテン係止用具であり、また前記のカーテン係止用具の片面にのこぎり歯状の切込部を設けかつひも固定ピンを内設し前記凹凸部を介してカーテンを締着しかつ前記ひも固定ピンを介してカーテン係止用ひもをカーテン係止具ケース内に固定するカーテン係止用具であり、前記のカーテン係止具ケースの外側片面に両面テープ付の装飾用リボンを着脱自在に装着するカーテン係止用具であり、また前記のカーテン係止具ケースの磁石内設部分とひも内設部分とが一体に構成されかつ該部分が開閉自在に構成されるカーテン係止用具であり、また前記のカーテン係止具ケースの外側片面に着脱する装飾用リボンがば・ひまわり・すずらん・チューリップ等の造花からなり更に必要に応じて造花に香料を内設してなるカーテン係止用具である。
【０００７】
更に本発明は、マグネット式の磁石板を内設した樹脂カーテンと該樹脂カーテンを吊り上げる磁石付の造花となることを特徴とするカーテン係止用具であり、また前記の造花の先端にカーテン吊上用フックを取付けてなるカーテン係止用具であるから、従来のカーテン係止具では不可能とされていた全く新規な発想からなるので多くの効果が得られる発明といえる。
ア、従来カーテンを止めるのは窓の両側に止め金具を取付けるとともに、この止め金具に  締着するために別付の止め帯が必要であったが、本発明の方法ではこれらの止め金も止  め帯も必要とせずにカーテンを締着することが可能となった。
イ、このカーテンの締着に磁石付きの一本の止め帯を介してカーテンの左右上下のいかな  る個所でも自由自在に締着させることができる。
ウ、このように本発明からなるカーテン係止具に付設されている磁石が係止具に内設され  ているので外部からなる磁石で止められていることが見えない。その結果、装飾的にも  優れているものといえる。
エ、またカーテン係止具とカーテン係止部材の素材に木製・プラスチック製・金属製が使  用されており、しかもカーテン係止具がリング状・ロープ状・クサリ状に一体成形れて  いるとともにカーテン係止部材がハート型・星型・花型・動物型等の所望形状に一体形  成されているので、部屋の装飾用としてカーテン係止具及びカーテン係止部材を利用す  ることもできる。
オ、なお本発明ではカーテン用の係止具としてとらえているが、これに限定することなく  スカートなどにも応用することができるので広く利用することが可能となる。
【０００８】
このように本発明のカーテン係止具にすれば機能性・実用性・装飾性・経済性等あらゆ  る面から見ても、従来のものよりもはるかに優れたカーテンの係止用具を提供すること  ができるといえる。
【発明を実施するための最良の形態】
【０００９】
本発明の実施形態は、カーテン係止用ひもの両端に各同型のカーテン係止具ケースを固定しかつ該カーテン係止具ケースに磁石を内設してなるカーテン係止具本体を設け、該カーテン係止具本体を介してカーテンを上下又は左右に開閉自在かつ係止自在に構成してなることを特徴とするカーテン係止用具であり、また前記のカーテン係止用具の片面にのこぎり歯状の切込部を設けかつひも固定ピンを内設し前記凹凸部を介してカーテンを締着しかつ前記ひも固定ピンを介してカーテン係止用ひもをカーテン係止具ケース内に固定するカーテン係止用具であり、また前記のカーテン係止具ケースの外側片面に両面テープ付の装飾用リボンを着脱自在に装着するカーテン係止用具であり、また前記のカーテン係止具ケースの磁石内設部分とひも内設部分とが一体に構成されかつ該部分が開閉自在に構成されるカーテン係止用具であり、また前記のカーテン係止具ケースの外側片面に着脱する装飾用リボンがばら・ひまわり・すずらん・チューリップ等の造花からなり更に必要に応じて造花に香料を内設してなるカーテン係止用具であるから従来のカーテン係止具よりもあらゆる面で優れており、しかも従来の単なる機能的な役割しか果たさなかったカーテン係止具を装飾品としての役割を果すことができる。すなわち、本発明からなるカーテン係止用具本体をカーテン所望個所に取付けておき、所望の装飾用のリボンを着脱自在に装着することが可能だからである。
【００１０】
更に本発明の実施形態は、マグネット式の磁石板を内設した樹脂カーテンと、該樹脂カーテンを吊り上げる磁石付の造花となることを特徴とするカーテン係止用具であり、また前記の造花の先端にカーテン吊上用フックを取付けてなるカーテン係止用具であるから、カーテンの色などに合わせた造花をワンタッチで着脱することができる。
【実施例１】
【００１１】
以下、図面によって本発明の実施例について説明する。
図１から図４は本発明のカーテン係止用具を示したものであり、１はそのカーテン係止用具本体である。カーテン係止用具本体１は、２個のカーテン係止具ケース２、２と１本のカーテン係止用ひもＡとから構成されている。カーテン係止具ケース２、２には各マグネット状の磁石３、３が内設されており、その内側面にはカーテンＢを締着するためにのこぎり形状の切込部８が形成されている。一方、カーテン係止具ケース２、２の片側にはカーテン係止用ひもＡを固定するひも固定ピン７が内設されている。更に、このカーテン係止具ケース２、２は、磁石３、３が内設されている部分とひも固定ピン７が内設されている部分とが折り曲げ可能になるように一体構成されている。すなわち、図３と図４に示されているように、磁石３が内設されている部分２ｂは切込部８が形成されている部分２ａが蓋となって嵌合されており、一方ひも固定ピン７が内設されている部分２ｃと２ｄとが嵌合自在になるように構成されている。この機成状態は図２に示されている。図２は、図１に示した本発明のカーテン係止具用具本体１の使用状態を示した断面図であり、まず磁石３、３が内設されているカーテン係止具ケース２、２とカーテン係止用ひもＡとをカーテンＢの近くに持参し、カーテン係止用ひもＡをカーテン係止具ケース２、２に取付ける。ついで、所望のカーテンＢの下側をカーテン係止用ひもＡでたぐり上げてカーテン係止具ケース２、２に形成されているのこぎり歯状の切込部８で所望位置に挟み込みカーテンＢを吊り上げる。その後、別に準備されている装飾用リボン６の両面テープ４を介してカーテン係止具ケース２の片面に接着する。なお、図中５はリボン接着部である。
【００１２】
図５から図８は装飾用のリボンを装着する方法を示したものであり、６ａは装飾造花のひまわりである。このひまわり６の裏面には両面テープ４が貼着されている。一方両面テープ４はカーテン係止具ケース２に貼着されるようになっている。すなわち、ひまわり６ａに貼着されている両面テープ４の片面はひまわり６ａに貼着し、片面はカーテン係止具ケース２の片面に貼着することで、造花のひまわり６ａをカーテン係止具ケース２に装着させることができる。なお、図６は造花にばら６ｂを図７は造花にすずらん６ｃを図８は造花にチューリップ６ｄをそれぞれ図示したものである。更に、この造花には必要に応じて各造花に各生花の香りの香料を内設することによって、お香のように常時造花から本物の香りが室内にただようので、あたかもカーテンの造花が本物の生花としての役割を果すことも可能となる。
【００１３】
図９は本発明からなるカーテン係止用具の使用方法で示したものである。まず、窓ｃの内側上方部から吊り下げられているカーテンＢの所望個所に前述した方法で、所望の装飾用リボン６をカーテンＢの下側から差込み所望の位置にカーテン係止具ケース２、２を装着する。そうすれば、本図に示すようにカーテンＢを所望の位置にたくし上げることができる。なお、本発明のカーテン係止用具を使用する場合は、従来のカーテン方式ではなく上方部をリングなどで吊り下げることもなく、また中央から２分させることも必要はない。つまり、映画のスクリーンスタイルの幕状のカーテンにすることができるので、シンプルなカーテンにすることが可能となる。また、カーテンに装着される造花に香りを付けることによって本物の生花から発生する香り（ばらの造花からはばらの香り、チューリップの造花からはチューリップの香りなど）と同じ香りがカーテンからただようので室内全体が生花の香で一杯となり、部屋中が生花の香りでつつみ込まれることになって快適な生活を送ることができる。
【００１４】
図位１０から図１２は、本発明の他の実施例を示したものであり、いわゆる従来のカーテンを磁石入りのカーテンにしたものである。図中１０は磁石入りカーテンであり、磁石で成形されているマグネット板１２の両面を樹脂カーテン１１、１１で一体成形した樹脂製のカーテンである。このような樹脂からなる磁石入りカーテン１０にリボン付きカーテン係止具１３を用いて、磁石入りカーテン１０を吊り上げて止めれば本発明のカーテン係止用具と同じ効果が得られる。なお、この場合に使用されるリボン付きカーテン係止具１３の造花の部分にはマグネット入り造花が用いられ、その他端にはカーテン吊上用フック１４が形成されている。
【図面の簡単な説明】
【００１５】
【図１】本発明のカーテン係止用具を示した斜視図。
【図２】図１で示したカーテン係止用具の拡大断面図。
【図３】図１に示したカーテン係止用具の分解図。
【図４】図１に示したカーテン係止用具の展開図。
【図５】図１に示したカーテン係止用具の使用状態を示した斜視図。
【図６】本発明のカーテン係止用具に用いる造花の取付状態図。
【図７】本発明のカーテン係止用具に用いる造花の取付状態図。
【図８】本発明のカーテン係止用具に用いる造花の取付状態図。
【図９】本発明のカーテン係止用具の使用状態図。
【図１０】本発明の他の実施例を示した説明概要図。
【図１１】本発明の他の実施例を示した説明概要図。
【図１２】本発明の他の実施例を示した説明概要図。
【図１３】従来のカーテン係止用具を示した説明図。
【図１４】従来のカーテン係止用具を示した説明図。
【符号の説明】
【００１６】
１  カーテン係止用具本体        ２  カーテン係止具ケース
３  磁石                        ４  両面テープ
５  リボン接着部                ６  装飾用リボン
７  ひも固定ピン                ８  切込部
１０  磁石入りカーテン          １１  樹脂カーテン
１２  マグネット板              １３  リボン付カーテン係止具
１４  カーテン吊上用フック
２１  カーテン係止帯            ２２  カーテン係止具
２３  カーテン係止用ワッカ      ２４  カーテン吊下棒
２５  カーテン吊下棒止具        ２６  カーテン吊下用ワッカ
Ａ  カーテン係止用ひも          Ｂ  カーテン
Ｃ  窓
【図１】
2006141423.tif 000003
【図２】
2006141423.tif 000004
【図３】
2006141423.tif 000005
【図４】
2006141423.tif 000006
【図５】
2006141423.tif 000007
【図６】
2006141423.tif 000008
【図７】
2006141423.tif 000009
【図８】
2006141423.tif 000010
【図９】
2006141423.tif 000011
【図１０】
2006141423.tif 000012
【図１１】
2006141423.tif 000013
【図１２】
2006141423.tif 000014
【図１３】
2006141423.tif 000015
【図１４】
2006141423.tif 000016